(57)【特許請求の範囲】
【請求項１】
鉄心コアと、
前記鉄心コアの内周側に回転自在に配置されたローターと、
前記鉄心コアの軸線方向の端面に配置されているインシュレータと、を備えており、
前記鉄心コアには、外周部に少なくとも１つの溝部が設けられており、
当該溝部は、前記鉄心コアの前記端面から外周部の軸線方向に設けられており、
前記鉄心コアは、周方向に延在するコアバック部、該コアバック部の中央部から中心方向に突出したティース部、及び該ティース部の先端に位置しているティース先端部から構成されており、
前記インシュレータには、前記鉄心コアとの接触面から軸線方向に突出した少なくとも１つの第一の突起部が設けられており、
前記第一の突起部は、前記溝部に収められており、
前記インシュレータには、前記鉄心コアとの接触面から軸線方向に突出した少なくとも１つの第二の突起部が設けられており、
前記ティース先端部の内周面は、前記ティース先端部の前記ローターと対向する面と、前記ローターと対向する面から外径側に傾斜する面とを有しており、
前記第二の突起部は、前記ティース先端部の内周面のうち、前記ローターと対向する面から外径側に傾斜する面と当接しており、前記インシュレータによって前記鉄心コアが挟持されている
モータ。
【請求項２】
前記第二の突起部は、前記ティース先端部のうち、前記ティース部の前記ティース先端部への投影面と重複しない前記ティース先端部の内周面と当接している
請求項１に記載のモータ。
【請求項３】
前記第二の突起部は、前記ローターと接触しない位置に設けられている
請求項１又は２に記載のモータ。
【請求項４】
前記第一の突起部及び前記溝部は、横断面において台形である
請求項１〜３のいずれか一項に記載のモータ。
【請求項５】
前記溝部は、前記コアバック部の外周部のうち、前記ティース部の前記コアバック部への投影面と重複しない部位に設けられている
請求項１〜４のいずれか一項に記載のモータ。
【請求項６】
前記第一の突起部は、前記鉄心コアの外周面から突出しないように前記溝部に収められている
請求項１〜５のいずれか一項に記載のモータ。
【請求項７】
前記第一の突起部は、前記溝部に対して、しまりばめ、又は、中間ばめにより固定されている
請求項１〜６のいずれか一項に記載のモータ。
【請求項８】
前記インシュレータは、前記鉄心コアの軸線方向の両端面にそれぞれ設けられている
請求項１〜７のいずれか一項に記載のモータ。
【請求項９】
請求項１〜８のいずれか一項に記載のモータを備えた
圧縮機。
【発明の詳細な説明】
【技術分野】
【０００１】  本発明は、ステータを構成する鉄心コアとインシュレータとを備えたモータと、当該モータを備えた圧縮機に関するものである。
【背景技術】
【０００２】  従来、モータのステータとして、複数の鉄心コアが環状に配置されているステータコアと、各鉄心コアに巻回される巻線コイルと、鉄心コアと巻線コイルを絶縁するインシュレータを備えるものが知られている。このようなステータコアにおいては、一般的には、図１０に示されるように、インシュレータの下端面にインシュレータ突起部１４ａが設けられ、鉄心コア５ａの上端面にインシュレータ連結穴１５ａが設けられている。そして、このインシュレータ突起部１４ａとインシュレータ連結穴１５ａとを嵌合させることにより、図１１に示されるような、インシュレータ６ａを鉄心コア５ａに装着するものが提案されている（例えば特許文献１参照）。【０００３】  また、モータのステータを構成する鉄心コアとインシュレータとを固定する方法として、インシュレータに鉄心コアの軸線方向に延びる取付部を形成する。そして、当該取付部で鉄心コアの軸線方向の両端部を周方向に挟みこんで、インシュレータと鉄心コアを固定するものが提案されている（例えば特許文献２参照）。
【先行技術文献】
【特許文献】
【０００４】
【特許文献１】特許第５１２２００２号公報
【特許文献２】特開２０１２−７５２１５号公報
【発明の概要】
【発明が解決しようとする課題】
【０００５】  特許文献１に開示されたモータのステータにおいては、インシュレータの鉄心コアの上端面に対面する面に突起部を設け、鉄心コアの上端面にインシュレータを差し込む穴を設けている。ここで、インシュレータの突起を鉄心コアの穴に差し込んで固定する方法では、鉄心コアに穴をあける必要があるため、当該穴が磁力の流れを妨げ、モータの効率の低下を引き起こす問題点があった。【０００６】  また、特許文献２に開示されたモータのステータにおいては、インシュレータに設けられた取付け部が鉄心コアの両端分を周方向に挟みこむことで、鉄心コアの巻線スペースが減少してしまい、モータの効率の低下を引き起こす問題点があった。【０００７】  本発明は、上記のような課題を解決するためになされたものであり、磁力の流れを妨げずに巻線スペースを減少させないようにしたモータ及び圧縮機を得ることを目的とする。
【課題を解決するための手段】
【０００８】
本発明に係るモータは、鉄心コアと、前記鉄心コアの内周側に回転自在に配置されたローターと、前記鉄心コアの軸線方向の端面に配置されているインシュレータと、を備えており、前記鉄心コアには、外周部に少なくとも１つの溝部が設けられており、当該溝部は、前記鉄心コアの前記端面から外周部の軸線方向に設けられており、前記鉄心コアは、周方向に延在するコアバック部、該コアバック部の中央部から中心方向に突出したティース部、及び該ティース部の先端に位置しているティース先端部から構成されており、前記インシュレータには、前記鉄心コアとの接触面から軸線方向に突出した少なくとも１つの第一の突起部が設けられており、前記第一の突起部は、前記溝部に収められており、前記インシュレータには、前記鉄心コアとの接触面から軸線方向に突出した少なくとも１つの第二の突起部が設けられており、前記ティース先端部の内周面は、前記ティース先端部の前記ローターと対向する面と、前記ローターと対向する面から外径側に傾斜する面とを有しており、前記第二の突起部は、前記ティース先端部の内周面のうち、前記ローターと対向する面から外径側に傾斜する面と当接しており、前記インシュレータによって前記鉄心コアが挟持されているものである。
【発明の効果】
【０００９】  本発明によれば、鉄心コアは、端面から外径側面の軸線方向に少なくとも１つの溝部を設け、インシュレータは、鉄心コアとの接触面から軸線方向の下方に突出する少なくとも１つの第一の突起部を設け、第一の突起部は、溝部と嵌合するように構成する。このようにすることで、磁力の流れを妨げずに巻線スペースを減少させないようにしたモータを得ることができる。
【図面の簡単な説明】
【００１０】
【図１】本発明の実施の形態１に係るモータを搭載する圧縮機の概略図である。
【図２Ａ】本発明の実施の形態１に係るモータのステータの上面概略図である。
【図２Ｂ】本発明の実施の形態１に係るモータのステータの側面概略図である。
【図３Ａ】本発明の実施の形態１に係るモータの鉄心コア単体の下面概略図である。
【図３Ｂ】本発明の実施の形態１に係るモータの鉄心コア単体の側面概略図である。
【図３Ｃ】本発明の実施の形態１に係るモータの鉄心コア単体の上面概略図である。
【図４】本発明の実施の形態１に係るモータのインシュレータの拡大斜視図である。
【図５】本発明の実施の形態１に係るモータのインシュレータと鉄心コアとの取り付け方法を示す拡大斜視図である。
【図６】本発明の実施の形態１に係るモータの鉄心コアにインシュレータを取り付けた状態を示す拡大斜視図である。
【図７】本発明の実施の形態２に係るモータのインシュレータと鉄心コアとの取り付け方法を示す拡大斜視図である。
【図８】本発明の実施の形態３に係るモータのインシュレータの拡大斜視図である。
【図９】本発明の実施の形態３に係るモータのインシュレータと鉄心コアとの取り付け方法を示す拡大斜視図である。
【図１０】従来のモータのインシュレータと鉄心コアとの取り付け方法を示す拡大斜視図である。
【図１１】従来のモータの鉄心コアにインシュレータを取り付けた状態を示す拡大斜視図である。
【発明を実施するための形態】
【００１１】  以下、本発明のモータの実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１２】実施の形態１．［圧縮機の構成］  図１は、本発明の実施の形態１に係るモータを搭載する圧縮機の概略図である。図２Ａは、本発明の実施の形態１に係るモータのステータの上面概略図である。図２Ｂは、本発明の実施の形態１に係るモータのステータの側面概略図である。図１〜図２Ｂに示されるように、圧縮機１００は、密閉容器１と、密閉容器１内に冷媒を供給するための吸入パイプ１ｇと、吸入パイプ１ｇに接続される液だめ容器１ｈと、吸入パイプ１ｇに接続され、冷媒を圧縮する圧縮機構１ｄと、回転するシャフト１ｃと、シャフト１ｃに接続されるローター３と、ローター３を回転させるステータ２と、密閉容器１から圧縮された冷媒を吐出する吐出パイプ１ｆとを有している。なお、シャフト１ｃと、ステータ２と、ローター３とでモータ１ｂが構成される。
【００１３】（密閉容器１）  密閉容器１は、圧縮機１００の外郭を構成するものである。密閉容器１内には、圧縮機構１ｄ及びモータ１ｂなどが少なくとも設けられている。密閉容器１は、上シェル１ａ１と、圧縮機１００の胴体部及び下部の外郭を構成する下シェル１ａ２とから構成されている。
【００１４】  上シェル１ａ１は、密閉容器１の上部を構成する端部側シェルであり、たとえば絞り加工などが施され、半球に近い形状をしているものである。上シェル１ａ１は、密閉容器１の内外とを連通して設けられる吐出パイプ１ｆが接続されている。
【００１５】  下シェル１ａ２は、密閉容器１の中間部分及び下部を構成するものであり、たとえば、下側が閉塞されている有底筒状をしているものである。すなわち、下シェル１ａ２には、上側に開口部が形成されて上シェル１ａ１が圧入されるとともに、下側が閉塞されて圧縮機構１ｄの摺動摩擦を軽減するのに利用される冷凍機油が貯留されるようになっている。下シェル１ａ２は、密閉容器１内に冷媒を供給するための吸入パイプ１ｇが接続されている。また、下シェル１ａ２の内周面には、モータ１ｂのステータ２が取り付けられ、下シェル１ａ２の内周面であってステータ２の取り付けられる面の下側には、圧縮機構１ｄが取り付けられている。
【００１６】（吸入パイプ１ｇ及び液だめ容器１ｈ）  吸入パイプ１ｇの一方は、圧縮機構１ｄのシリンダと連通するように、密閉容器１の下シェル１ａ２に接続されているものである。吸入パイプ１ｇの他方は、液だめ容器１ｈに接続されている。液だめ容器１ｈは、圧縮機１００に流入する冷媒音などを低減するマフラーとしての機能を有するものである。また、液だめ容器１ｈは、液冷媒を貯留することができるアキュムレータとしての機能も有している。この液だめ容器１ｈは、一方が吸入パイプ１ｇに接続されている。
【００１７】（圧縮機構１ｄ）  圧縮機構１ｄは、液だめ容器１ｈ及び吸入パイプ１ｇを介して供給される冷媒を圧縮し、密閉容器１の内部に放出するものである。圧縮機構１ｄは、下シェル１ａ２の内側面に取り付けられている。圧縮機構１ｄには、吸入パイプ１ｇから供給される冷媒を圧縮するシリンダ、及び当該シリンダを摺動自在に回転するピストンなどが設けられている。このピストンは、シャフト１ｃに接続され、シリンダ内を偏心運動する。圧縮機構１ｄには、上端面側及び下端面側にシャフト１ｃを回転自在に支持する軸受１ｅが設けられている。
【００１８】（モータ１ｂ）  モータ１ｂは、下端側が圧縮機構１ｄの軸受１ｅに接続されるシャフト１ｃと、シャフト１ｃが固定され自身の回転をシャフト１ｃに伝達するローター３と、複数層の巻線コイル１１（図２Ｂ参照）が巻き付けられているステータ２とを有している。シャフト１ｃは、圧縮機構１ｄの接続位置の上側にローター３が固定され、ローター３の回転とともに自身が回転し、圧縮機構１ｄのピストンを回転させるものである。ローター３は、永久磁石（図示省略）が設けられ、シャフト１ｃによって回転自在に支持されているものである。ローター３は、ステータ２の内側に対して、予め設定された間隔を空けて支持されている。ステータ２は、ローター３を回転させるものであり、外周面が下シェル１ａ２の内周面に固定されて設けられている。
【００１９】  図２Ａ及び図２Ｂに示されるように、ステータ２は、複数の電磁鋼板などで構成した鉄心コア５と、鉄心コア５に装着されるインシュレータ６と、インシュレータ６を介して鉄心コア５に複数層巻き付けられる巻線コイル１１とを有しているものである。鉄心コア５は、複数の電磁鋼板を積層して得られたものであり、円環状に複数配置されるものである。鉄心コア５には、巻線コイル１１と鉄心コア５との絶縁に利用されるインシュレータ６が装着されている。
【００２０】  インシュレータ６は、巻線コイル１１と鉄心コア５との絶縁がなされるように、たとえば樹脂などで構成されるものである。ここで、インシュレータ６のうちの圧縮機構１ｄ側のインシュレータ６をインシュレータＬ側６Ｂとし、インシュレータ６のうち上シェル１ａ１側のインシュレータ６をインシュレータＵ側６Ａとする。すなわち、インシュレータ６のうち鉄心コア５から下端面の下側に位置する部分をインシュレータＬ側６Ｂとし、インシュレータ６のうち鉄心コア５から上端面の上側に位置する部分をインシュレータＵ側６Ａとする。
【００２１】  図２Ａ及び図２Ｂに示されるように、インシュレータＬ側６Ｂは、ステータ２の外周側からステータ２を見ると、インシュレータＬ側６Ｂに巻き付けられた巻線コイル１１の一部が見えていることが分かる。インシュレータＵ側６Ａには、キャビティー部（図示省略）が形成されており、Ｕ相、Ｖ相及びＷ相に電気を供給するのに利用されるリード線９が接続されたマグメイト８が埋め込まれている。また、Ｕ相、Ｖ相及びＷ相は、お互いがジャンパー線１０を介して電気的に接続されている。巻線コイル１１は、インシュレータＵ側６Ａ及びインシュレータＬ側６Ｂを介して鉄心コア５に複数層巻き付けられるものである。巻線コイル１１に電流が供給されることによりステータ２が電磁石として機能し、ローター３に設けられた永久磁石と相互作用してローター３の回転力が生じるようになっている。
【００２２】（吐出パイプ１ｆ）  吐出パイプ１ｆは、圧縮機構１ｄで圧縮された密閉容器１内の高温高圧冷媒を外に吐出する配管である。この吐出パイプ１ｆは、一方が流路の切り替えなどを行うのに利用される図示省略の四方弁などに接続され、他方が密閉容器１の内外を連通するように上シェル１ａ１に接続されている。
【００２３】  図３Ａは、本発明の実施の形態１に係るモータの鉄心コア単体の下面概略図である。図３Ｂは、本発明の実施の形態１に係るモータの鉄心コア単体の側面概略図である。図３Ｃは、本発明の実施の形態１に係るモータの鉄心コア単体の上面概略図である。図３Ａ〜図３Ｃに示されるように、鉄心コア５には、鉄心コア５の下方においてコイルを巻き付ける短辺Ｌ側巻付部１２ａと、鉄心コア５の側面においてコイルを巻き付ける長辺側面巻付部１２ｂと、鉄心コア５の上方においてコイルを巻き付ける短辺Ｕ側巻付部１２ｃを備えている。
【００２４】  短辺Ｌ側巻付部１２ａには巻線コイル１１が、短辺Ｌ側巻付部１２ａに対して平行に巻かれ、長辺側面巻付部１２ｂには巻線コイル１１が、長辺側面巻付部１２ｂに対して平行に巻かれている。一方で、短辺Ｕ側巻付部１２ｃには、巻線コイル１１が巻線を１ピッチずつずらすように傾斜を設けて巻かれている。このようにして巻線コイル１１は鉄心コア５に複数層巻き付けられている。
【００２５】
図４は、本発明の実施の形態１に係るモータのインシュレータの拡大斜視図である。図４に示されるように、インシュレータＵ側６Ａが、鉄心コア５と接触する下面をインシュレータ側鉄心コア接触面２０とする。インシュレータ側鉄心コア接触面２０の外縁（鉄心コア５の外周側）の両端側にはそれぞれ、平板状の爪１６及び爪１７が軸線方向の下方に突出している。同様に、インシュレータ側鉄心コア接触面２０の内縁（鉄心コア５の内径側）の両端側にはそれぞれ、爪１８及び爪１９が軸線方向の下方に突出している。なお、インシュレータＬ側６Ｂの下面側は、上記のインシュレータＵ側６Ａと同様の構成となっている。すなわち、インシュレータＬ側６Ｂが、鉄心コア５と接触する下面をインシュレータ側鉄心コア接触面２０とする。インシュレータ側鉄心コア接触面２０の外縁（鉄心コア５の側）の両端側にはそれぞれ、平板状の爪１６及び爪１７が軸線方向に下方に突出している。同様に、インシュレータ側鉄心コア接触面２０の内縁（鉄心コア５の内径側）の両端側にはそれぞれ、爪１８及び爪１９が軸線方向に下方に突出している。
なお、爪１６及び爪１７は本発明における「第一の突起部」に相当する。また、爪１８及び爪１９は本発明における「第二の突起部」に相当する。
【００２６】  図５は、本発明の実施の形態１に係るモータのインシュレータと鉄心コアとの取り付け方法を示す拡大斜視図である。図５に示されるように、鉄心コア５は、周方向に延在するコアバック部４０と、コアバック部４０の中央部から中心方向に突出したティース部４１と、ティース部４１の先端に位置するティース先端部４２とから構成される。鉄心コア５が、インシュレータと接触する軸線方向の端面を鉄心コア側インシュレータ接触面２１とする。コアバック部４０は、外周部に溝部２２及び溝部２３を設け、当該溝部２２、２３は、鉄心コア側インシュレータ接触面２１から外周部の軸線方向に設けられている。溝部２２及び溝部２３は、コアバック部４０の外周部のうちティース部４１のコアバック部４０への投影面と重複しない部位に設けられている。
【００２７】  インシュレータＵ側６Ａ及びインシュレータＬ側６Ｂは、矢印３０の向きに示されるように鉄心コア５の上方から、鉄心コア５に装着される。この際、インシュレータ側鉄心コア接触面２０と鉄心コア側インシュレータ接触面２１とは接着する。
【００２８】  図６は、本発明の実施の形態１に係るモータの鉄心コアにインシュレータを取り付けた状態を示す拡大斜視図である。図６に示されるように、爪１６は溝部２２に嵌合し、爪１７は溝部２３に嵌合して、しまりばめ又は中間ばめにより装着される。この際、インシュレータＵ側６Ａの爪１８及び爪１９は、ティース先端部４２の内周面と当接する。このようにインシュレータＵ側６Ａは、爪１６、１７、１８、１９が鉄心コア５を挟み込むようにして鉄心コア５に装着される。なお、インシュレータＬ側６ＢもインシュレータＵ側６Ａと同様の方法で、鉄心コア５に装着される。つまり、鉄心コア５の一方の端面にはインシュレータＵ側６Ａが設けられ、他の端面にはインシュレータＬ側６Ｂが設けられることとなる。
【００２９】  なお、爪１８及び爪１９は、ティース先端部４２のうちティース部４１のティース先端部４２への投影面と重複しないティース先端部４２の内周面に当接する。また、モータ１ｂは、環状に配置された鉄心コア５の内周側にローター３を備えるが、爪１８及び爪１９は、ローター３と接触しない位置に設けられている。また、爪１６は鉄心コア５の外周面から突出しないように溝部２２に収まる。同様に、爪１７は鉄心コア５の外周面から突出しないように溝部２３に収まる。
【００３０】  なお、本実施の形態１において、爪１６及び爪１７の形状を平板状としたが、本発明はこれに限定されず、円弧状又は棒状に形成してもよい。また、本実施の形態１において、インシュレータ６が爪を鉄心コア５の内径側及び外径側にそれぞれ２つずつ設けている例を示した。しかし、本発明はこれに限定されず、爪の長さが長く、爪の幅が広い場合は、インシュレータ６が鉄心コア５に安定して装着できるため、インシュレータ６に爪を鉄心コア５の内径側及び外径側に１つずつ設けてもよい。一方、爪の長さが短く、爪の幅が狭い場合は、インシュレータ６にインシュレータ６の爪を鉄心コア５の内径側及び外径側に３つ以上設けてもよい。
【００３１】［実施の形態１の効果］  以上のことから、本実施の形態１によれば、モータ１ｂが、鉄心コア５と、鉄心コア５の軸線方向の端面に配置されるインシュレータ６と、を備え、鉄心コア５は、外周部に少なくとも１つの溝部２２、２３を設け、当該溝部２２、２３は、端面から外周面の軸線方向に設けられ、インシュレータ６は、鉄心コア５との接触面から軸線方向の下方に突出する少なくとも１つの爪１６、１７を設け、爪１６、１７は、溝部２２、２３と嵌合するようにする。このようにすることで、鉄心コアの軸線方向の端面にインシュレータ取付用の穴を設ける必要がなくなるため、磁力の流れを妨げずに巻線スペースを減少させないようにしたモータを得ることができる。
【００３２】  また、鉄心コア５は、周方向に延在するコアバック部４０、コアバックの中央部から中心方向に突出したティース部４１、及びティース部４１の先端に位置するティース先端部４２とから構成され、インシュレータ６は、鉄心コア５との接触面から軸線方向の下方に突出する少なくとも１つの爪１８、１９を備え、爪１８、１９は、ティース先端部４２の内周面と当接し、インシュレータ６が鉄心コア５を挟持する。このようにすることで、インシュレータが鉄心コア５に対して安定して設置されるという効果を得ることができる。
【００３３】  また、爪１８及び爪１９は、ティース先端部４２のうち、ティース部４１のティース先端部４２への投影面と重複しないティース先端部４２の内周面と当接する。このようにすることで、鉄心コア５に発生する磁力の流れを妨げないという効果を得ることができる。
【００３４】  また、鉄心コア５は、周方向に延在するコアバック部４０、コアバックの中央部から中心方向に突出したティース部４１、及びティース部４１の先端に位置するティース先端部４２とから構成され、溝部２２、２３は、コアバック部４０の外周部のうち、ティース部４１のコアバック部４０への投影面と重複しない部位に設けられている。このようにすることで、鉄心コア５に発生する磁力の流れを妨げないという効果を得ることができる。
【００３５】  また、鉄心コア５の内周側に回転自在に配置されたローター３を備え、爪１８及び爪１９は、ローター３と接触しない位置に設けられるようにする。このようにすることで、爪１８及び爪１９がローター３に干渉することがなくなるため、ローター３が効率よく回転できるという効果を得ることができる。
【００３６】実施の形態２．  本実施の形態２におけるモータ１ｂの基本的な構成は実施の形態１におけるモータ１ｂと同様であるため、以下、実施の形態１との相違点を中心に本実施の形態２を説明する。実施の形態１と本実施の形態２との相違点は、インシュレータに設けられた２つの爪でインシュレータを鉄心コアに固定する点である。
【００３７】  図７は、本発明の実施の形態２に係るモータのインシュレータと鉄心コアとの取り付け方法を示す拡大斜視図である。図７に示されるように、インシュレータＵ側６Ａの下面の外縁（鉄心コア５の外周側）の両端側にはそれぞれ、爪２４及び爪２５が軸線方向に下方に突出している。爪２４及び爪２５は、横断面において台形の形状をなしている。なお、インシュレータＬ側６Ｂは、上記のインシュレータＵ側６Ａと同様の構成となっている。
【００３８】  鉄心コア５のコアバック部４０は、外周部に溝部２６及び溝部２７を設け、当該溝部２６、２７は、鉄心コア側インシュレータ接触面２１から外周部の軸方向に設けられている。溝部２６及び溝部２７は、横断面において台形の形状をなしている。溝部２６及び溝部２７は、コアバック部４０の外周部のうちティース部（図示省略）のコアバック部４０への投影面と重複しない部位に設けられている。
【００３９】  インシュレータＵ側６Ａの台形形状の爪２４が台形形状の溝部２６に嵌合し、台形形状の爪２５が台形形状の溝部２７に嵌合することで、インシュレータＵ側６Ａの鉄心コア５における周方向及び径方向の位置が決められる。インシュレータＵ側６Ａの鉄心コア５に対する軸線方向の固定は、しまりばめ又は中間ばめにより固定される。なお、インシュレータＬ側６ＢもインシュレータＵ側６Ａと同様の方法で、鉄心コア５に装着される。つまり、鉄心コア５の一方の端面にはインシュレータＵ側６Ａが設けられ、他の端面にはインシュレータＬ側６Ｂが設けられることとなる。なお、爪２４は溝部２６に対して、外径方向にはみ出すことない。同様に、爪２５は溝部２７に対して、外径方向にはみ出すことない。
【００４０】［実施の形態２の効果］  以上のことから、本実施の形態２によれば、爪２４、２５及び溝部２６、２７は、横断面において台形の構成とする。このようにすることで、実施の形態１の効果に加えて、インシュレータを鉄心コアに安定して固定することができる。また、インシュレータの内縁側に爪を設ける必要がなくなるため、部品数の削減という効果を得ることもできる。
【００４１】実施の形態３．  本実施の形態３におけるモータ１ｂの基本的な構成は実施の形態１におけるモータ１ｂと同様であるため、以下、実施の形態１との相違点を中心に本実施の形態２を説明する。実施の形態１と本実施の形態２との相違点は、インシュレータに穴部を設け、鉄心コアに突起部を設ける点である。
【００４２】  図８は、本発明の実施の形態３に係るモータのインシュレータの拡大斜視図である。図８に示されるように、インシュレータＵ側６Ａのインシュレータ側鉄心コア接触面２０には、突起部差し込み穴２８が設けられている。インシュレータＬ側６Ｂも同様に、インシュレータ側鉄心コア接触面２０には、突起部差し込み穴２８が設けられている。
【００４３】  図９は、本発明の実施の形態３に係るモータのインシュレータと鉄心コアとの取り付け方法を示す拡大斜視図である。図９に示されるように、鉄心コア５の鉄心コア側インシュレータ接触面２１には、軸線方向に突出する凸部２９が設けられている。突起部差し込み穴２８と凸部２９が嵌合することで、インシュレータＵ側６Ａは鉄心コア５に固定される。同様に、インシュレータＬ側６Ｂも鉄心コア５に固定される。
【００４４】［実施の形態３の効果］  以上のことから、本実施の形態１によれば、モータ１ｂが、鉄心コア５と、鉄心コア５の軸線方向の端面に配置されるインシュレータ６と、備え、鉄心コア５は、上端面又は下端面の少なくとも一方に軸線方向に突出する凸部２９を設け、インシュレータ６は、下端面に突起部差し込み穴２８を設け、凸部２９は、突起部差し込み穴２８と嵌合する構成とする。このようにすることで、鉄心コアの軸線方向の端面にインシュレータ取付用の穴を設ける必要がなくなるため、磁力の流れを妨げずにモータの効率低下を引き起こさないモータを得ることができる。
【００４５】  以上、実施の形態１〜３について説明したが、本発明は各実施の形態の説明に限定されない。例えば、各実施の形態の全て又は一部を組み合わせることも可能である。
【符号の説明】
【００４６】  １  密閉容器、１ａ１  上シェル、１ａ２  下シェル、１ｂ  モータ、１ｃ  シャフト、１ｄ  圧縮機構、１ｅ  軸受、１ｆ  吐出パイプ、１ｇ  吸引パイプ、１ｈ  容器、２  ステータ、３  ローター、５  鉄心コア、５ａ  鉄心コア、６  インシュレータ、６Ａ  インシュレータＵ側、６Ｂ  インシュレータＬ側、８  マグメイト、９  リード線、１０  ジャンパー線、１１  巻線コイル、１２ａ  短辺Ｌ側巻付部、１２ｂ  長辺側面巻付部、１２ｃ  短辺Ｕ側巻付部、１４ａ  インシュレータ突起部、１５ａ  インシュレータ連結穴、１６  爪、１７  爪、１８  爪、１９  爪、２０  インシュレータ側鉄心コア接触面、２１  鉄心コア側インシュレータ接触面、２２  溝部、２３  溝部、２４  爪、２５  爪、２６  溝部、２７  溝部、２８  突起部差し込み穴、２９  凸部、３０  矢印、４０  コアバック部、４１  ティース部、４２  ティース先端部、１００  圧縮機。
【図１】
0006479179.tif 000002
【図２Ａ】
0006479179.tif 000003
【図２Ｂ】
0006479179.tif 000004
【図３Ａ】
0006479179.tif 000005
【図３Ｂ】
0006479179.tif 000006
【図３Ｃ】
0006479179.tif 000007
【図４】
0006479179.tif 000008
【図５】
0006479179.tif 000009
【図６】
0006479179.tif 000010
【図７】
0006479179.tif 000011
【図８】
0006479179.tif 000012
【図９】
0006479179.tif 000013
【図１０】
0006479179.tif 000014
【図１１】
0006479179.tif 000015